(57)【要約】【課題】６ｋＶ級架空配電線の間接活線作業に使用されている間接活線工具を改良することにより、マニピュレータ工法によらず、無停電工法で間接活線を行なえる２０ｋＶ級系統の架空配電線の間接活線工具を提供する。【解決手段】２０ｋＶ級架空配電線の間接活線作業に使用するヤットコ等の間接活線工具であって、絶縁操作棒２の先端部から下端部側にある限界鍔２０ａまでの絶縁距離Ｌ１１が少なくとも１１０ｃｍである。【選択図】図１
2008206253.tif 000002
【特許請求の範囲】
【請求項１】
２０ｋＶ級架空配電線の間接活線作業に使用するヤットコ等の間接活線工具であって、絶縁操作棒の先端部から下端部側にある限界鍔までの絶縁距離が少なくとも１１０ｃｍであることを特徴とする間接活線工具。
【発明の詳細な説明】
【技術分野】
【０００１】
本発明は、間接活線作業に使用するヤットコ等の間接活線工具に関するもので、特に、特別高圧活線である２０ｋＶ級架空配電線の間接活線作業に使用する間接活線工具に関する。
【背景技術】
【０００２】
２０ｋＶ級系統の架空配電線は、一般に広く使用されている６ｋＶ級架空配電線に比べると、電力損失が少なく、送電容量も大きいため、既設系統も含めて積極的に活用する必要がある。この２０ｋＶ級の新架空配電亘長は着実に伸びており、今後も２０ｋＶ級設備の拡大が期待されるところである。
【０００３】
然るに、２０ｋＶ級配電線路の活線作業は、厚生労働省の労働安全衛生規則によりマニピュレータと呼ばれるロボットアームを使用した工法に限定されている。マニピュレータ工法は、顧客の停電回避や過酷な作業環境の現場支援に寄与してきたが、次のような制約によって、適用範囲の拡大が望めない状況にある。
(1)．駐車スペースに車道（１車線）を要するため、道路状況によって施工が困難な場合がある。
(2)．装柱により作業範囲が制約されるため、作業内容が限定される。
(3)．操作において特殊機能を有するため、人材育成（教育）が困難である。
【０００４】
そこで、本発明の発明者は、６ｋＶ級架空配電線の間接活線作業に使用されている間接活線工具を改良することにより、マニピュレータ工法によらず、無停電工法で間接活線作業が行なえる２０ｋＶ級架空配電線の間接活線工具を発案したものである。
【発明の開示】
【発明が解決しようとする課題】
【０００５】
図１の(a) は現在使用されている６ｋＶ級架空配電線の間接活線作業に使用されているヤットコ１を示すもので、このヤットコ１では、絶縁操作棒２の先端部からその下端部側にある限界鍔までの絶縁距離Ｌ１が６０ｃｍとなっている。この絶縁距離６０ｃｍというのは、作業者が架空電線の直下で作業する場合にその作業個所の下方へ６０ｃｍ離れた位置で作業すれば安全であるとされるところの労働安全衛生規則に適合し得る接近限界距離である。
【０００６】
尚、図１の(a) において、３，４は絶縁操作棒２の先端部に取付部材５を介して把持可能に組み付けられた固定把持片及び可動把持片、６は可動把持片４の基端部に連結ピン７を介して連結された絶縁性の作動棒、８は作動棒７の下端部に連結ピン９を介して連結された操作レバーで、この操作レバー８は、取付部材１０を介して絶縁作動棒６の下端部に付設されている。絶縁操作棒２にはゴム製の絶縁鍔２０ａ，２０ｂが所要間隔をおいて取り付けられており、下端部側の絶縁鍔２０ａが限界絶縁鍔である。また絶縁作動棒６にも絶縁鍔２１が設けてある。
【０００７】
しかして、本発明の発明者は、２０ｋＶ級架空配電線の間接活線作業用工具において、絶縁操作棒の先端部から下端側にある限界鍔までの絶縁距離を検討し、電線直下の作業を前提とし、活線振分（ホットプラー）工事による電線上昇の３０ｃｍを加味しても、標準安全距離８０ｃｍへの侵入を防止できる少なくとも１１０ｃｍの長さを設定するようにした。尚、活線振分工事とは、停電範囲の縮小を目的として、架空電線路の途中にバイパスを設けると共にその途中を切断により停電させて電線の振り分けを行なう工事で、その電線路の切断に先立って停電個所をホットプラー電線支持具によって両側から引き寄せる時に、その引き寄せられて撓んだ電線部分が上方へ押し上げられる状態となるのが上記の電線上昇である。
【課題を解決するための手段】
【０００８】
上記課題を解決するための手段を、後述する実施形態の参照符号を付して説明すると、請求項１に係る発明は、２０ｋＶ級架空配電線の間接活線作業に使用するヤットコ等の間接活線工具であって、絶縁操作棒２の先端部から下端部側にある限界鍔２０ａまでの絶縁距離Ｌ１１が少なくとも１１０ｃｍであることを特徴とする。
【発明の効果】
【０００９】
上記解決手段による発明の効果を、後述する実施形態の参照符号を付して説明すると、請求項１に係る発明によれば、２０ｋＶ級架空配電線１２に対する活線作業の接近限界距離が厚生労働省の労働安全衛生規則に２０ｃｍと定められていることから、この２０ｃｍから、さらに安全に作業を行なえる標準安全距離を８０ｃｍに設定し、この標準安全距離の８０ｃｍに活線振分工事による電線１２の上昇距離３０ｃｍを加味することによって、絶縁操作棒２の先端部から下端部側にある限界鍔２０ａまでの絶縁距離Ｌ１１を少なくとも１１０ｃｍとしたから、無停電工法で間接活線作業を安全に行なうことができる。
【発明を実施するための最良の形態】
【００１０】
以下に本発明の好適な一実施形態を図面に基づいて説明すると、図１の(b) は本発明に係る２０ｋＶ級架空配電線の間接活線作業に使用するヤットコ（間接活線工具）１１を示す。このヤットコ１１は、構造的には同図の(a) に示すヤットコ１と同じであって、合成樹脂で形成された絶縁操作棒２の上端部に取付部材５を介して固定把持片３及び可動把持片４が把持可能に組み付けられ、可動把持片４の基端部には連結ピン７を介して合成樹脂製の絶縁性作動棒６が連結され、この絶縁作動棒６の下端部に連結ピン９を介して操作レバー８が連結され、この操作レバー８は取付部材１０を介して絶縁作動棒６の下端部に付設されていて、操作レバー８を握持することにより、可動把持片４が固定把持片３に対し閉動するようになっている。絶縁操作棒２にはゴムで形成された絶縁鍔２０ａ，２０ｂ，２０ｃが所要間隔をおいて取り付けられ、下端部側の絶縁鍔２０ａが限界絶縁鍔である。また絶縁作動棒６には絶縁鍔２１ａ，２１ｂが取り付けられている。
【００１１】
このヤットコ１１の特徴は、絶縁操作棒２の先端部、即ち取付部材５から絶縁操作棒２の下端部側に設けてある限界鍔２０ａまでの絶縁距離Ｌ１１を、少なくとも１１０ｃｍとしたことである。即ち、２０ｋＶ級架空配電線に対応したヤットコ１１の最適長さを設定するにあたっては、図２から分かるように、２０ｋＶ級架空配電線１２に対する活線作業の接近限界距離が厚生労働省の労働安全衛生規則に２０ｃｍと定められていることから、この２０ｃｍから、さらに安全に作業を行なえる標準安全距離を８０ｃｍに設定し、この標準安全距離の８０ｃｍに活線振分（ホットプラー）工事による電線１２の上昇距離３０ｃｍを加味することによって、上記絶縁距離Ｌ１１を１１０ｃｍとしたものである。
【００１２】
尚、ホットプラー工事による電線１２の上昇距離の３０ｃｍは、電線１２の停電個所をホットプラー電線支持具にて引き寄せる時に、その引き寄せられて撓んだ電線１２部分が最大限３０ｃｍ上昇するとしたことによるものである。図２には、ホットプラー工事の際に電線１２が上昇した状態を仮想線で示している。
【００１３】
この図２は、高所作業車のバケットＢに乗った作業者Ｍがヤットコ１１を使用して２０ｋＶ級架空配電線１２の間接活線工事を行なっている状態を示したもので、このヤットコ１１は、取付部材５から絶縁操作棒２の下端部側の限界鍔２０ａまでの絶縁距離Ｌ１１を１１０ｃｍとしたことにより、活線作業を安全に行なうことができる。このヤットコ１１の絶縁距離Ｌ１１は１１０ｃｍ以上に設定することもできるが、その絶縁距離Ｌ１１をあまり長くすると、作業がし難くなることから、絶縁距離Ｌ１１は１１０ｃｍ程度にすることが好ましい。
【００１４】
また，上述した実施形態では、間接活線工具としてヤットコのみを例示したが、ヤットコと他にスティックを使用してもよい。
【図面の簡単な説明】
【００１５】
【図１】(a) は本発明に係るヤットコの正面図、(b) は従来のヤットコの正面図である。
【図２】本発明に係るヤットコを使用して２０ｋＶ級架空配電線の間接活線工事を行なっている状態を示す説明図である。
【符号の説明】
【００１６】
Ｌ１１          本発明に係るヤットコ
Ｌ１            従来のヤットコ
２              絶縁操作棒
６              絶縁作動棒
【図１】
2008206253.tif 000003
【図２】
2008206253.tif 000004